(57)【特許請求の範囲】
【請求項１】
縦向きのハウジングを備えたモデリング液流皮膚洗浄器であって、ハウジング上端に縦向き入水口が設けられており、ハウジングの側壁上部に横向きの廃液搬送口が設けられており、前記廃液搬送口は、縦向きの第１の回収管を介して、ハウジングの下部外側の、ハウジングを囲んで設けられた第２の回収管と連結しており、前記第２の回収管に廃液回収口が設けられており、前記ハウジングの下端周辺には連結部が設けられていることを特徴とする、モデリング液流皮膚洗浄器。
【請求項２】
前記第２の回収管の上方のハウジングに、側方向き入水口が設けられていることを特徴とする、請求項１に記載のモデリング液流皮膚洗浄器。
【請求項３】
前記ハウジングは円柱形のハウジングであり、前記縦向き入水口は円柱形の入水口であり、前記第１の回収管は逆Ｌ字形の回収管であり、前記第２の回収管は円環状の回収管であり、前記廃液回収口は前記第２の回収管の側壁上に横向きに設けられていることを特徴とする、請求項２に記載のモデリング液流皮膚洗浄器。
【請求項４】
前記第１の回収管は３つであり、前記ハウジングの周方向に沿って均等に配置されていることを特徴とする、請求項１に記載のモデリング液流皮膚洗浄器。
【請求項５】
前記第１の回収管の上端に縦向きの通気孔が設けられていることを特徴とする、請求項１に記載のモデリング液流皮膚洗浄器。
【請求項６】
前記側方向き入水口は２つであり、２つの前記第１の回収管の間に横向きに設けられており、前記側方向き入水口は上から下へ傾斜して設けられており、一方の側方向き入水口は、ハウジング内で反時計回りの水流を形成する側方向き入水口であり、他方の側方向き入水口は、ハウジング内で時計回りの水流を形成する側方向き入水口であることを特徴とする、請求項２に記載のモデリング液流皮膚洗浄器。
【請求項７】
前記連結部は、連結ベースと、前記ハウジングの下端から、外側へ延びる円環部とを備え、
前記円環部の外側に円環部の周方向に沿って３つの横向き係合体が均等に配置されており、前記係合体の先端は、前が薄く後が厚い、傾斜した回転進入部であり、
前記連結ベースは円環状の底板を備え、前記円環状の底板の外端は円筒状の側壁であり、前記円筒状の側壁に、前記係合体に対応して縦向きの切り欠きが設けられており、前記縦向きの切り欠きの両側の側壁のうち一方の側壁の底端に、前記円筒状の側壁の周方向に沿って横向きの切り欠きが設けられており、前記横向きの切り欠きの幅は、前記回転進入部の先端に対応して設定されていることを特徴とする、請求項１に記載のモデリング液流皮膚洗浄器。
【請求項８】
前記円筒状の側壁と円環状の底板の内環の間の円環状の底板上に、円環状の底板の周方向に沿って円環状の凹溝が設けられており、円環状の凹溝内にシールリングが設けられていることを特徴とする請求項７に記載のモデリング液流皮膚洗浄器。
【請求項９】
前記縦向き入水口は循環水電磁弁を介してポンプの出水口に連結され、前記ポンプの入水口は水タンクの出水口に連結され、前記水タンクの入水口は、吸水電磁弁を介して前記廃液回収口に連結されていることを特徴とする、請求項１に記載のモデリング液流皮膚洗浄器。
【請求項１０】
前記水タンクに電気ヒータとＫ型熱電対が設けられており、電気ヒータの電源端の一端は、ソリッドステートリレーＳＳＲの被制御端の一端、及び表示灯ＨＧ３の一端に連結され、ＳＳＲの被制御端の他端は、押しボタンスイッチＳＦ２を介して、ヒューズＦＵ１の一端、表示灯ＨＲの一端、押しボタンスイッチＳＦ１の一端、押しボタンスイッチＳＦ３の一端、及び温度制御器の電源端の一端にそれぞれ連結され、ＨＧ３の他端は、商用電源の中性線、ＨＲの他端、ポンプの電源端の一端、表示灯ＨＧ１の一端、吸水電磁弁の電源端の一端、表示灯ＨＧ２の一端、電気ヒータの電源端の他端、リレーＫＡ１の制御端の一端、循環水電磁弁の電源端の一端、表示灯ＨＧ４の一端、及び温度制御器の電源端の他端にそれぞれ連結され、ＦＵ１の他端は商用電源の活線に連結され、ＳＦ１の他端は、ポンプの電源端の他端、ＨＧ１の他端、及びＫＡ１の被制御端の一端にそれぞれ連結され、ＫＡ１の被制御端の他端は、吸水電磁弁の電源端の他端、及びＨＧ２の他端にそれぞれ連結され、ＳＦ３の他端は、ＫＡ１の制御端の他端、循環水電磁弁の電源端の他端、及びＨＧ４の他端にそれぞれ連結され、Ｋ型熱電対の出力ポートは温度制御器の検査信号入力ポートに連結されることを特徴とする、請求項９に記載のモデリング液流皮膚洗浄器。
【発明の詳細な説明】
【技術分野】
【０００１】
本発明は、特定の条件の液流をシミュレートする、生物体の皮膚に対する洗浄装置の技術分野に属し、特に、モデリング液流（模擬液流）皮膚洗浄器に関する。
【背景技術】
【０００２】
医療保健業界ではしばしば薬品や化粧品等を皮膚表面に塗る必要があり、作用を発揮する期間に、物理的・化学的物質を塗った皮膚表面が水等の様々な液体の洗浄に接触することがある。これらの物理的・化学的物質の、洗浄を経た後の皮膚表面または皮膚内への残留量が、効果の発揮に往々にして影響する。これらの物理的・化学的物質の耐洗浄性を検査することが、業界において関心を集める一つの指標になっている。塗られた物質の耐洗浄度は、液体の洗浄方式、強さ、洗浄時間のいずれとも密接な関係を有しており、検査過程ではしばしば、自然状態における接触方式をシミュレートしようと努めるが、これらの自然状態は、室内でのシャワー、プールでの水泳、浜辺での水泳等の方式を含む。自然状態における液流洗浄パラメータは変動が大きく、現在業界内では、被検者に市販の噴流式泡風呂浴槽で一定時間にわたり洗浄させてから、皮膚に対して相応の検査を行う方法が幅広く採用されている。しかし、様々な被検者が浴槽内で動く度合い、姿勢、被検者が浴槽において位置する出水孔の正確な位置や、場合によっては被検者の様々な身長・体型までが検査データに影響をもたらし、ずれが生じる可能性がある。様々な地域の水質の違いも、全国ないし全世界の様々な地域に分布する検査センターのデータに影響をもたらす可能性がある。検査センターは一般的に、日常生活用の水道水を用いて検査を行うが、海辺の高塩分濃度海水や、様々な地理的地域の様々な水質等の状況も、従来の検査機器と手段でシミュレートするのは困難である。様々な被検者や様々な物理的・化学的試薬については、試験を開始する前に洗浄液を頻繁に取り換えなければならず、時間がかかり、多くの水を要し、オペレータと被検者の使用体験の質が低い。
【先行技術文献】
【特許文献】
【０００３】
【特許文献１】（特に無し）
【発明の概要】
【発明が解決しようとする課題】
【０００４】
本発明は上記の問題に対し、使用しやすく、模擬液流を皮膚表面に衝突させる、規格化されたモデリング液流皮膚洗浄器を提供する。
【課題を解決するための手段】
【０００５】
上記の目的を実現するため、本発明は次のような技術案を採用する。すなわち、本発明は縦向きのハウジングを備え、その構造上の要点であるハウジング上端に縦向き入水口が設けられており、ハウジングの側壁上部に横向きの廃液搬送口が設けられており、廃液搬送口は、縦向きの第１の回収管を介して、ハウジングの下部外側の、ハウジングを囲んで設けられた第２の回収管と連結しており、第２の回収管に廃液回収口が設けられており、ハウジングの下端周辺に連結部が設けられている。
【０００６】
１つの好ましい案として、本発明の前記第２の回収管上方のハウジングに側方向き入水口が設けられている。
【０００７】
もう１つの好ましい案として、本発明の前記ハウジングは円柱形のハウジングであり、縦向き入水口は円柱形の入水口であり、第１の回収管は逆Ｌ字形の回収管であり、第２の回収管は円環状の回収管であり、前記廃液回収口は第２の回収管の側壁上に横向きに設けられる。
【０００８】
もう１つの好ましい案として、本発明の前記第１の回収管は３つであり、ハウジングの周方向に沿って均等に配置される。
【０００９】
もう１つの好ましい案として、本発明の前記第１の回収管の上端に縦向きの通気孔が設けられている。
【００１０】
もう１つの好ましい案として、本発明の前記側方向き入水口は２つであり、２つの第１の回収管の間に横向きに設けられ、側方向き入水口は上から下へ傾斜して設けられ、一方の側方向き入水口は、ハウジング内で反時計回りの水流を形成する側方向き入水口であり、他方の側方向き入水口は、ハウジング内で時計回りの水流を形成する側方向き入水口である。
【００１１】
もう１つの好ましい案として、本発明の前記連結部は、連結ベースと、ハウジング下端の、外側へ延びる円環部とを備え、円環部の外側に円環部の周方向に沿って３つの横向き係合体が均等に配置され、係合体の先端は、前が薄く後が厚い、傾斜した回転進入部であり、前記連結ベースは円環状の底板を備え、円環状の底板の外端は円筒状の側壁であり、円筒状の側壁に、前記係合体に対応して縦向きの切り欠きが設けられており、縦向きの切り欠きの両側の側壁のうち一方の側壁の底端に、円筒状の側壁の周方向に沿って横向きの切り欠きが設けられており、横向きの切り欠きの幅は、前記回転進入部の先端に対応して設置されている。
【００１２】
もう１つの好ましい案として、本発明の前記円筒状の側壁と円環状の底板内環の間の円環状の底板上に、円環状の底板の周方向に沿って円環状の凹溝が設けられており、円環状の凹溝内にシールリングが設けられている。
【００１３】
次に、本発明の前記縦向き入水口は循環水電磁弁を介してポンプの出水口に連結され、ポンプの入水口は水タンクの出水口に連結され、水タンクの入水口は、吸水電磁弁を介して前記廃液回収口に連結される。
【００１４】
また、本発明の前記水タンクに電気ヒータとＫ型熱電対が設けられており、電気ヒータの電源端の一端は、ソリッドステートリレーＳＳＲの被制御端の一端、表示灯ＨＧ３の一端に連結され、ＳＳＲの被制御端の他端は、押しボタンスイッチＳＦ２を介して、ヒューズＦＵ１の一端、表示灯ＨＲの一端、押しボタンスイッチＳＦ１の一端、押しボタンスイッチＳＦ３の一端、温度制御器の電源端の一端にそれぞれ連結され、ＨＧ３の他端は、商用電源の中性線、ＨＲの他端、ポンプの電源端の一端、表示灯ＨＧ１の一端、吸水電磁弁の電源端の一端、表示灯ＨＧ２の一端、電気ヒータの電源端の他端、リレーＫＡ１の制御端の一端、循環水電磁弁の電源端の一端、表示灯ＨＧ４の一端、温度制御器の電源端の他端にそれぞれ連結され、ＦＵ１の他端は商用電源の活線に連結され、ＳＦ１の他端は、ポンプの電源端の他端、ＨＧ１の他端、ＫＡ１の被制御端の一端にそれぞれ連結され、ＫＡ１の被制御端の他端は、吸水電磁弁の電源端の他端とＨＧ２の他端にそれぞれ連結され、ＳＦ３の他端は、ＫＡ１の制御端の他端、循環水電磁弁の電源端の他端、ＨＧ４の他端にそれぞれ連結され、Ｋ型熱電対の出力ポートは温度制御器の検査信号入力ポートに連結される。
【発明の効果】
【００１５】
本発明のハウジング上端に縦向き入水口が設けられており、垂直に水を当てる目的を果たすことができる。
【００１６】
本発明は縦向き入水口を介して水を入れ、洗浄用の水の水質を制御することができる。
【００１７】
本発明の第１の回収管、第２の回収管、廃液回収口は洗浄用の水の循環排出に便利であり、連結部を介して人体の関連部位と接するのに便利であり、使用しやすく、時間と資源を節約する。
【００１８】
本発明は、液流を皮膚表面に衝突させる規格化されたシミュレーション機器を提供しており、生物体の皮膚に専ら用いられ、特定の条件の液流の、生物体の皮膚に対する洗浄・洗い流し作用をシミュレートし、洗浄の方向と強さを規格化させる。
【００１９】
以下、図面および具体的な実施形態を参照しながら、本発明についてさらに説明する。本発明の保護範囲は以下の内容の記述に限定されない。
【図面の簡単な説明】
【００２０】
【図１】図１は本発明の構造概略図である。
【図２】図２は本発明の外観図である。
【図３】図３は連結ベースが連結されていない状態の本発明の外観図である。
【図４】図４は本発明の連結ベースの構造概略図である。
【図５】図５は本発明の回路原理図である。
【発明を実施するための形態】
【００２１】
図に示すように、本発明は縦向きのハウジング６を備え、ハウジング６の上端に縦向き入水口５が設けられており、ハウジング６の側壁上部に横向きの廃液搬送口３が設けられており、廃液搬送口３は、縦向きの第１の回収管２を介して、ハウジング６の下部外側の、ハウジング６を囲んで設けられた第２の回収管８と連結しており、第２の回収管８に廃液回収口１０が設けられており、ハウジング６の下端周辺に連結部が設けられている。
【００２２】
前記第２の回収管８上方のハウジング６に側方向き入水口７が設けられている。
【００２３】
前記ハウジング６は円柱形のハウジングであり、縦向き入水口５は円柱形の入水口であり、第１の回収管２は逆Ｌ字形の回収管であり、第２の回収管８は円環状の回収管であり、前記廃液回収口１０は第２の回収管８の側壁上に横向きに設けられる。
【００２４】
前記第１の回収管２は３つであり、ハウジング６の周方向に沿って均等に配置され、ハウジング６内の液体の均等な搬送に便利である。
【００２５】
前記第１の回収管２の上端に縦向きの通気孔４が設けられている。
【００２６】
前記側方向き入水口７は２つであり、２つの第１の回収管２の間に横向きに設けられ、側方向き入水口７は上から下へ傾斜して設けられ、一方の側方向き入水口７は、ハウジング６内で反時計回りの水流を形成する側方向き入水口７であり、他方の側方向き入水口７は、ハウジング６内で時計回りの水流を形成する側方向き入水口７である。２つの側方向き入水口７を設ければ、より優れたシミュレーション効果を得ることができる。２つの側方向き入水口７は、様々なときに入水することができる。
【００２７】
前記連結部は、連結ベース９と、ハウジング６下端の、外側へ延びる円環部１とを備える。円環部１の外側に円環部１の周方向に沿って３つの横向き係合体１１が均等に配置され、係合体１１の先端は、前が薄く後が厚い、傾斜した回転進入部である。前記連結ベース９は円環状の底板を備え、円環状の底板の外端は円筒状の側壁であり、円筒状の側壁に、前記係合体１１に対応して縦向きの切り欠き１４が設けられており、縦向きの切り欠き１４の両側の側壁のうち一方の側壁の底端に、円筒状の側壁の周方向に沿って横向きの切り欠き１３が設けられており、横向きの切り欠き１３の幅は、前記回転進入部の先端に対応して設定される。
【００２８】
前記円筒状の側壁と円環状の底板内環の間の円環状の底板上に、円環状の底板の周方向に沿って円環状の凹溝１２が設けられており、円環状の凹溝１２内にシールリング（図示略）が設けられている。シールリングを設ければ、ハウジング６内の水漏れを効果的に防止することができる。
【００２９】
前記縦向き入水口５は循環水電磁弁を介してポンプの出水口に連結され、ポンプの入水口は水タンクの出水口に連結され、水タンクの入水口は、吸水電磁弁を介して前記廃液回収口１０に連結される。電磁弁とポンプを設ければ、洗浄速度を規格化させることができる。
【００３０】
前記水タンクに電気ヒータとＫ型熱電対が設けられており、電気ヒータの電源端の一端は、ソリッドステートリレーＳＳＲの被制御端の一端、表示灯ＨＧ３の一端に連結され、ＳＳＲの被制御端の他端は、押しボタンスイッチＳＦ２を介して、ヒューズＦＵ１の一端、表示灯ＨＲの一端、押しボタンスイッチＳＦ１の一端、押しボタンスイッチＳＦ３の一端、温度制御器の電源端の一端にそれぞれ連結されている。ＨＧ３の他端は、商用電源の中性線、ＨＲの他端、ポンプの電源端の一端、表示灯ＨＧ１の一端、吸水電磁弁の電源端の一端、表示灯ＨＧ２の一端、電気ヒータの電源端の他端、リレーＫＡ１の制御端の一端、循環水電磁弁の電源端の一端、表示灯ＨＧ４の一端、温度制御器の電源端の他端にそれぞれ連結されている。ＦＵ１の他端は商用電源の活線に連結され、ＳＦ１の他端は、ポンプの電源端の他端、ＨＧ１の他端、ＫＡ１の被制御端の一端にそれぞれ連結され、ＫＡ１の被制御端の他端は、吸水電磁弁の電源端の他端、ＨＧ２の他端にそれぞれ連結され、ＳＦ３の他端は、ＫＡ１の制御端の他端、循環水電磁弁の電源端の他端、ＨＧ４の他端にそれぞれ連結されている。Ｋ型熱電対の出力ポートは温度制御器の検査信号入力ポートに連結される。Ｋ型熱電対と温度制御器を設ければ、水温を制御するのに便利であり、より全面的なシミュレーション効果を果たすことができる。
【００３１】
使用時には、本発明を人体の背部に留めることができ、連結部を介して背部と接触し、人体はうつぶせになり、連結部の下端に封止接着剤を塗り、水の流出を防止してもよい。
【００３２】
理解可能なのは、以上は本発明に関する具体的な記述であり、本発明を説明するためにのみ用いられ、本発明の実施例が記述する技術手法に限定されないということであり、当業者は、本発明に対して修正または均等物置換を行うことで同じ技術的効果を果たすことは依然として可能であり、使用ニーズを満たしさえすれば、いずれも本発明の保護範囲内にあることを理解しなければならない。
【符号の説明】
【００３３】
１  円環部
２  第１の回収管
３  廃液搬送口
４  通気孔
５  縦向き入水口
６  ハウジング
７  側方向き入水口
８  第２の回収管
９  連結ベース
１０  廃液回収口
１１  係合体
１２  円環状の凹溝
１３  横向きの切り欠き
１４  縦向きの切り欠き
【図１】
0006298183.tif 000002
【図２】
0006298183.tif 000003
【図３】
0006298183.tif 000004
【図４】
0006298183.tif 000005
【図５】
0006298183.tif 000006